(57)【要約】 【課題】    庇としての機能を維持しつつ十分な自然光を室内に誘導する。【解決手段】本発明に係る住宅の採光構造１０は、屋根１の軒２部分に採光部としての天窓３を設けてあるとともに、屋根１と軒天井４とで囲まれた軒裏空間５と該軒裏空間に隣接する室内空間６とを採光用開口７を介して相互に連通させてある。軒天井４は、吊り材１９，１９を介して垂木１６から吊持された野縁材１２と、該野縁材の下面に貼り付けられた軒天材９と、該軒縁材の上面に貼り付けられた光反射性散乱板１１とから構成してあり、かかる構成により、天窓３から入射した自然光を軒天井４の上面にて乱反射させることができるようになっている。なお、吊り材１９，１９は、その上端を垂木１６に接合してあり、該垂木は、柱１３の頂部に架け渡された軒桁１４に取り付けてある。【選択図】  図１
2006169804.tif 000002
【特許請求の範囲】
【請求項１】
屋根の軒部分に採光部を設けるとともに該採光部を介して入射した入射光が軒天井の上面で乱反射可能となるように該軒天井を構成し、前記屋根と前記軒天井とで囲まれた軒裏空間と該軒裏空間に隣接する室内空間とを採光用開口を介して相互に連通させたことを特徴とする住宅の採光構造。
【請求項２】
前記軒天井を、軒天材と該軒天材の上面に設けられた野縁材と該野縁材の上面に前記軒天材と対向するように設けられた光反射性散乱板とで構成した請求項１記載の住宅の採光構造。
【請求項３】
前記軒天井を光反射性散乱板で構成した請求項１記載の住宅の採光構造。
【請求項４】
屋根の軒部分に採光部を設けるとともに該採光部を介して入射した入射光が軒天井の上面で乱反射可能となるように該軒天井を構成し、前記屋根と前記軒天井とで囲まれた軒裏空間と該軒裏空間に隣接する室内空間とを採光用開口を介して相互に連通させた住宅の採光防音構造であって、前記軒天井に給気口を設けるとともに前記室内空間に排気口を設け、前記軒裏空間が吸音チャンバーとなるように前記軒天井及び前記屋根のうち、少なくともいずれかを吸音可能に構成したことを特徴とする住宅の採光防音構造。
【請求項５】
前記軒天井を、軒天材と該軒天材の上面に設けられた野縁材と該野縁材の上面に前記軒天材と対向するように設けられた光反射性散乱板とで構成した請求項４記載の住宅の採光防音構造。
【請求項６】
前記軒天井を光反射性散乱板で構成した請求項４記載の住宅の採光防音構造。
【発明の詳細な説明】
【技術分野】
【０００１】
本発明は、快適な居住空間を実現させるための住宅の採光構造及び採光防音構造に関する。
【背景技術】
【０００２】
人々の快適な生活のためには、室内に自然光を十分に採り入れるとともに、外部騒音を防音しつつ室内の通気を確保することが重要である。
【０００３】
日本では、昔から、季節による太陽高度の違いを利用して、夏の暑い直射日光を室内に入射させるのを防ぐ夏期日射の遮光と、寒い冬に日射による熱を室内に採り入れる冬期日射の確保とを同時に実現させることが可能な庇としての軒を利用して、快適な居住空間を確保してきた。
【０００４】
一方、近年都心などの住宅密集地では、建築物が隣接しているために隣家の陰になり壁面に設置された窓から十分な日射を室内に採り込むことができず、室内への採光を確保することが困難といった問題が生じている。
【０００５】
これらの問題点を考慮し、住宅密集地など壁面に設置した窓からの採光が確保しにくい立地条件における住宅では、室内に十分な採光を確保することが可能な天窓を屋根に設置する方法が取られている。
【０００６】
【特許文献１】特開平７−４１４３
【特許文献２】特開２００４−１０８１００
【発明の開示】
【発明が解決しようとする課題】
【０００７】
しかしながら、天窓によって室内の採光を確保する場合、季節に関わらず一年中直射日光が天窓から室内へ入射されることとなり、夏場の暑い直射日光を遮光することができない。
【０００８】
一方、住宅に道路が隣接している場合や、住宅の近くで騒音を発生する工事が行われている場合など、外部騒音の問題から天窓を一日中開放することができず、窓からの換気を確保することができない。
【課題を解決するための手段】
【０００９】
本発明は、上述した事情を考慮してなされたもので、庇としての機能を維持しつつ十分な自然光を室内に誘導することが可能な住宅の採光構造を提供することを目的とする。
【００１０】
また、本発明は、上述した事情を考慮してなされたもので、庇としての機能を維持しつつ十分な自然光を室内に誘導し、かつ外部騒音を防音しつつ室内の通気を確保することが可能な住宅の採光防音構造を提供することを目的とする。
【００１１】
上記目的を達成するため、本発明に係る住宅の採光構造は請求項１に記載したように、屋根の軒部分に採光部を設けるとともに該採光部を介して入射した入射光が軒天井の上面で乱反射可能となるように該軒天井を構成し、前記屋根と前記軒天井とで囲まれた軒裏空間と該軒裏空間に隣接する室内空間とを採光用開口を介して相互に連通したものである。
【００１２】
また、本発明に係る住宅の採光構造は、前記軒天井を、軒天材と該軒天材の上面に設けられた野縁材と該野縁材の上面に前記軒天材と対向するように設けられた光反射性散乱板とで構成したものである。
【００１３】
また、本発明に係る住宅の採光構造は、前記軒天井を光反射性散乱板で構成したものである。
【００１４】
また、本発明に係る住宅の採光防音構造は請求項４に記載したように、屋根の軒部分に採光部を設けるとともに該採光部を介して入射した入射光が軒天井の上面で乱反射可能となるように該軒天井を構成し、前記屋根と前記軒天井とで囲まれた軒裏空間と該軒裏空間に隣接する室内空間とを採光用開口を介して相互に連通させた住宅の採光防音構造であって、前記軒天井に給気口を設けるとともに前記室内空間に排気口を設け、前記軒裏空間が吸音チャンバーとなるように前記軒天井及び前記屋根のうち、少なくともいずれかを吸音可能に構成したものである。
【００１５】
また、本発明に係る住宅の採光防音構造は、前記軒天井を、軒天材と該軒天材の上面に設けられた野縁材と該野縁材の上面に前記軒天材と対向するように設けられた光反射性散乱板とで構成したものである。
【００１６】
また、本発明に係る住宅の採光防音構造は、前記軒天井を光反射性散乱板で構成したものである。
【００１７】
第１の発明に係る住宅の採光構造においては、屋根の軒部分に採光部を設けてあるとともに該採光部を介して入射した入射光が軒天井の上面で乱反射可能となるように該軒天井を構成し、屋根と軒天井とで囲まれた軒裏空間と該軒裏空間に隣接する室内空間とを採光用開口を介して相互に連通させてある。
【００１８】
このようにすると、屋根の軒部分に設けた採光部から軒裏空間に入射した自然光は、直射日光にしろ天空光にしろ軒天井の上面で乱反射し、散乱光として採光用開口を経て室内空間へと誘導される。一方、直射日光は上述したように軒天井の上面で乱反射するため、かかる直射日光が室内空間に直接入射することはない。
【００１９】
そのため、屋根の軒による直射日光の遮光機能を保持しつつ、直射日光及び天空光からなる自然光を室内空間に導くことが可能となる。特に、室内空間に導かれる自然光は、直射日光ではなく、軒裏天井の上面で乱反射した散乱光となるため、夏場であっても、輝度を落とした和らいだ光を室内空間に導くことが可能となり、採光に関する居住性を大幅に高めることが可能となる。
【００２０】
したがって、住宅密集地のように、天窓を設けなければならない場合であっても、夏場の直射日光を遮光しつつ、散乱光を室内に取り込むことが可能となる。
【００２１】
採光部は、外から自然光を軒裏空間に入射させるものであればどのようなものでもよいが、例えば天窓を屋根の軒部分に設けるようにすればよい。
【００２２】
また、軒天井は、どのようにその上面を乱反射可能に構成するかは任意であるが、例えば軒天井を、軒天材と該軒天材の上面に設けられた野縁材と該野縁材の上面に軒天材と対向するように設けられた光反射性散乱板とで構成するようにしてもよいし、軒天井全体を光反射性散乱板で構成するようにしてもよい。
【００２３】
光反射性散乱板は、その上面で入射光を乱反射させるものであればその材質は任意であり、拡散反射率が高いものを適宜選択すればよい。具体的には、４５゜入射した光が法線方向に反射する光の割合を指標とし、かかる指標が７０％以上であるもので構成するのが望ましく、例えば表面を粗面加工したアルミニウム系板材がある。
【００２４】
なお、軒天井を、軒天材と該軒天材の上面に設けられた野縁材と該野縁材の上面に軒天材と対向するように設けられた光反射性散乱板とで構成する際、採光部から軒裏空間に入射した自然光が光反射性散乱板の上面で乱反射した後、採光用開口を経て室内空間へと誘導されるように光反射性散乱板の取付け位置を適宜設定するようにする。
【００２５】
また、本発明に係る住宅の採光防音構造においては、屋根の軒部分に採光部を設けてあるとともに該採光部を介して入射した入射光が軒天井の上面で乱反射可能となるように該軒天井を構成し、屋根と軒天井とで囲まれた軒裏空間と該軒裏空間に隣接する室内空間とを採光用開口を介して相互に連通させてある。
【００２６】
このようにすると、上述したように屋根の軒部分に設けた採光部から軒裏空間に入射した自然光は、直射日光にしろ天空光にしろ軒天井の上面で乱反射し、散乱光として採光用開口を経て室内空間へと誘導される。一方、直射日光は上述したように軒天井の上面で乱反射するため、かかる直射日光が室内空間に直接入射することはない。
【００２７】
そのため、屋根の軒による直射日光の遮光機能を保持しつつ、直射日光及び天空光からなる自然光を室内空間に導くことが可能となる。特に、上述と同様、室内空間に導かれる自然光は、直射日光ではなく、軒裏天井の上面で乱反射した散乱光となるため、夏場であっても、輝度を落とした和らいだ光を室内空間に導くことが可能となり、採光に関する居住性を大幅に高めることが可能となる。
【００２８】
したがって、住宅密集地のように、天窓を設けなければならない場合であっても、夏場の直射日光を遮光しつつ、散乱光を室内に取り込むことが可能となる。
【００２９】
また、本発明に係る住宅の採光防音構造においては、軒天井に給気口を設けてあるとともに室内空間に排気口を設け、軒裏空間が吸音チャンバーとなるように軒天井及び屋根のうち、少なくともいずれかを吸音可能に構成してある。
【００３０】
このようにすると、軒天井に設けられた給気口を介して外部の空気が吸音チャンバーである軒裏空間に流入したとき、空気の振動は、軒天井及び屋根のうち少なくともいずれかに吸音されることとなり、室内空間には振動成分が除去された空気が流入する。
【００３１】
そのため、外部騒音が大きい場合であっても、かかる騒音を軒裏空間で吸音しつつ、外部の空気を室内空間に取り込むことが可能となる。
【００３２】
特に、住宅に道路が隣接している場合や、住宅の近くで騒音を発生する工事が行われている場合、従来であれば、外部騒音によって天窓を開けることができず、天窓からの換気が確保できなかったが、本発明によれば、室内の換気を確保しつつ、外部からの騒音を軒裏空間で吸音することが可能となる。
【００３３】
採光部は、上述したように外から自然光を軒裏空間に入射させるものであればどのようなものでもよいが、例えば天窓を屋根の軒部分に設けるようにすればよい。
【００３４】
軒天井の上面を乱反射可能にする構成についてはすでに述べたので、ここではその詳細な説明は省略する。
【００３５】
軒裏空間は、吸音チャンバーとなるように軒天井及び屋根のうち、少なくともいずれかを吸音可能に構成してあり、かかる構成は従来の吸音技術を適宜用いればよい。例えば、高周波成分を多く含む騒音を対象とする場合にはロックウール等の多孔質材料を軒天井及び屋根のうち、少なくともいずれかに取り付けるようにし、低周波成分を多く含む騒音（可聴域以下の周波数帯域も含む）の場合には、その周波数と共鳴するように軒天井の上面や屋根の下面に板材を取り付けるようにすればよい。
【００３６】
給気口は、住宅で多用されている通常の給気口を軒天井に設けるようにしてもよいし、ルーバーを設けるようにしてもよい。
【００３７】
なお、軒天井は、採光部から軒裏空間に入射した自然光が該軒天井の上面で乱反射可能となるように構成してあるとともに、外気を軒裏空間に流入される給気口を設けてあるため、給気口としてルーバーを軒天井に設ける場合には、採光部からの入射光の乱反射が阻害されないようにルーバーの取付け位置を設定する。
【００３８】
また、排気口は、通常室内に設けられている排気口とすればよい。
【発明を実施するための最良の形態】
【００３９】
以下、本発明に係る住宅の採光構造及び採光防音構造の実施の形態について、添付図面を参照して説明する。なお、従来技術と実質的に同一の部品等については同一の符号を付してその説明を省略する。
【００４０】
（第１実施形態）
【００４１】
図１は、本実施形態に係る住宅の採光構造を示した断面図、図２は本実施形態に係る住宅の採光構造を室内側から見た側面図である。これらの図からわかるように、本実施形態に係る住宅の採光構造１０は、屋根１の軒２部分に採光部としての天窓３を設けてあるとともに、屋根１と軒天井４とで囲まれた軒裏空間５と該軒裏空間に隣接する室内空間６とを採光用開口７を介して相互に連通させてある。
【００４２】
軒天井４は、吊り材１９，１９を介して垂木１６から吊持された野縁材１２と、該野縁材の下面に貼り付けられた軒天材９と、該軒縁材の上面に貼り付けられた光反射性散乱板１１とから構成してあり、かかる構成により、天窓３から入射した自然光を軒天井４の上面にて乱反射させることができるようになっている。なお、吊り材１９，１９は、その上端を垂木１６に接合してあり、該垂木は、柱１３の頂部に架け渡された軒桁１４に取り付けてある。
【００４３】
光反射性散乱板１１は、その上面で入射光を乱反射させるものであればその材質は任意であり、拡散反射率が高いものを適宜選択すればよい。具体的には、４５゜入射した光が法線方向に反射する光の割合を指標とし、かかる指標が７０％以上であるもので構成するのが望ましく、例えば表面を粗面加工したアルミニウム系板材がある。
【００４４】
採光用開口７は、図２でよくわかるように、上階の横架材と柱１３，１３の間に設けられた外壁８の頂部との間に形成してあり、光反射性散乱板１１上で乱反射された自然光が十分採光用開口７を透過できるように該採光用開口の幅は、天窓３の幅よりも大きく取ってある。
【００４５】
光反射性散乱板１１は、天窓３から入射し該光反射性散乱板の上面で乱反射した散乱光が季節や時刻にかかわりなく室内空間６に誘導されるよう、天窓３に対する相対位置を設定してある。
【００４６】
本実施形態に係る住宅の採光構造１０においては、屋根１の軒２部分に採光部としての天窓３を設けてあるとともに、軒天井４を軒天材９と該軒天材の上面に設けられた野縁材１２と該野縁材の上面に軒天材９と対向するように設けられた光反射性散乱板１１とで構成し、屋根１と軒天井４とで囲まれた軒裏空間５と該軒裏空間に隣接する室内空間６とを採光用開口７を介して相互に連通させて構成してある。
【００４７】
そのため、天窓３から軒裏空間５に入射した自然光は、直射日光にしろ天空光にしろ軒天井４の光反射性散乱板１１上で乱反射し、散乱光として採光用開口７を経て室内空間６へと誘導される。一方、図１でよくわかるように天窓３から軒裏空間５に入射する自然光のうち直射日光Ａは、軒天井４の上面で乱反射するため、かかる直射日光が室内空間７に直接入射することはなく、散乱光Ａ′としてさまざまな角度で採光用開口７を経て室内空間６へと誘導されることとなる。
【００４８】
以上説明したように、本実施形態に係る住宅の採光構造１０によれば、屋根１の軒部分２に天窓３を設けてあるとともに、軒天井４を軒天材９と該軒天材の上面に設けられた野縁材１２と該野縁材の上面に軒天材９と対向するように設けられた光反射性散乱板１１とで構成し、屋根１と軒天井４とで囲まれた軒裏空間５と該軒裏空間に隣接する室内空間６とを採光用開口７を介して相互に連通させて構成したので、天窓３から軒裏空間５に入射した自然光は、直射日光にしろ天空光にしろ軒天井４の光反射性散乱板１１上で乱反射し、採光用開口７を経て室内空間６へと誘導された後、該室内空間の天井４０で反射されて室内空間６に散乱される。
【００４９】
したがって、室内空間６には天窓３から直射日光が入射することなく、軒天井４の光反射性散乱板１１上で乱反射した散乱光が取り込まれることとなるため、夏場であっても、輝度を落とした和らいだ光を室内空間６に導くことが可能となり、採光に関する居住性を大幅に高めることが可能となる。換言すれば、屋根１の軒２による直射日光の遮光機能を保持しつつ、直射日光及び天空光からなる自然光を室内空間６に導くことが可能となる。
【００５０】
加えて、住宅密集地のように、天窓を設けなければならない場合であっても夏場の直射日光を遮光しつつ、散乱光を室内に取り込むことが可能となる。
【００５１】
本実施形態では、軒天井４を軒天材９と該軒天材の上面に設けられた野縁材１２と該野縁材の上面に軒天材９と対向するように設けられた光反射性散乱板１１とで構成することにより、軒天井４の上面で入射光が乱反射されるように構成したが、軒天井の上面で入射光が乱反射可能であればその構成は任意であり、上述の構成に代えて、軒天井全体を光反射性散乱板で構成するようにしてもよい。
【００５２】
（第２実施形態）
【００５３】
次に、第２実施形態について説明する。なお、上述の実施形態と実質的に同一の部品については同一の符号を付してその説明を省略する。
【００５４】
図３は、本実施形態に係る住宅の採光防音構造を示した断面図である。同図からわかるように、屋根１の軒２部分に採光部としての天窓３を設けてあるとともに、屋根１と軒天井２３とで囲まれた軒裏空間５と該軒裏空間に隣接する室内空間６とを採光用開口７を介して相互に連通させて構成してある。
【００５５】
また、本実施形態に係る住宅の採光防音構造２０は、軒天井２３に給気口としてのルーバー２１を設けてあるとともに室内空間６に排気口（図示せず）を設けてある。
【００５６】
軒天井２３は、吊り材１９，１９を介して垂木１６から吊持された野縁材２６と、該野縁材の下面に貼り付けられた軒天材２４と、該軒縁材の上面に貼り付けられた光反射性散乱板２５とから構成してあり、かかる構成により、天窓３から入射した自然光を軒天井２３の上面にて乱反射させることができるようになっている。なお、吊り材１９，１９は、その上端を垂木１６に接合してあり、該垂木は、柱１３の頂部に架け渡された軒桁１４に取り付けてある。
【００５７】
光反射性散乱板２５は、その上面で入射光を乱反射させるものであればその材質は任意であり、拡散反射率が高いものを適宜選択すればよい。具体的には、４５゜入射した光が法線方向に反射する光の割合を指標とし、かかる指標が７０％以上であるもので構成するのが望ましく、例えば表面を粗面加工したアルミニウム系板材がある。
【００５８】
ここで、光反射性散乱板２５は、天窓３から入射し該光反射性散乱板上で乱反射した自然光が季節や時刻にかかわりなく室内空間６に誘導されるよう、天窓３に対する相対位置を設定してある。
【００５９】
なお、採光用開口７は、第１実施形態と同様であるのでここではその詳細な説明は省略する。
【００６０】
また、軒天井２３に設けられたルーバー２１は、天窓３からの直射日光が軒天井２３の光反射性散乱板２５上で乱反射するのを妨げないようにその取付け位置を設定してあるとともに、屋根１は、その下面に吸音材２２を貼着してあり、かかる構成により、ルーバー２１から軒裏空間５に流入してきた外気を吸音することができるようになっている。つまり、屋根１の下面に吸音材２２を貼着することにより、軒裏空間５は吸音チャンバーとなる。
【００６１】
吸音材２２は、騒音対象によって適宜選択すればよいが、例えば、高周波成分を多く含む騒音を対象とする場合にはロックウール等の多孔質材料を用いればよいし、低周波成分を多く含む騒音（可聴域以下の周波数帯域も含む）の場合には、その周波数と共鳴するように屋根１の下面に板材を取り付けて構成すればよい。
【００６２】
なお、排気口については住宅で多用されている従来の排気口を室内空間６に取り付けるようにすればよい。
【００６３】
本実施形態に係る住宅の採光防音構造２０においては、屋根１の軒２部分に採光部としての天窓３を設けてあるとともに軒天井２３を軒天材２４と該軒天材の上面に設けられた野縁材２６と該野縁材の上面に軒天材２４と対向するように設けられた光反射性散乱板２５とで構成し、屋根１と軒天井２３とで囲まれた軒裏空間５と該軒裏空間に隣接する室内空間６とを採光用開口７を介して相互に連通させて構成してある。
【００６４】
そのため、天窓３から軒裏空間５に入射した自然光は、直射日光にしろ天空光にしろ軒天井２３の光反射性散乱板２５上で乱反射し、採光用開口７を経て室内空間６へと誘導される。一方、図３でよくわかるように天窓３から軒裏空間５に入射する自然光のうち直射日光Ｂは、軒天井２３の上面で乱反射するため、かかる直射日光が室内空間７に直接入射することはなく、散乱光Ｂ′としてさまざまな角度で採光用開口７を経て室内空間６へと誘導されることとなる。
【００６５】
また、本実施形態に係る住宅の採光防音構造２０においては、軒天井２３に給気口としてのルーバー２１を設けてあるとともに室内空間６に排気口（図示せず）を設け、屋根１の下面に吸音材２２を貼着して構成してある。
【００６６】
そのため、軒天井２３に設けられたルーバー２１から外部の空気が軒裏空間５に流入したとき、空気の振動は屋根１の下面に貼着された吸音材２２に吸音されることとなり、室内空間には振動成分が除去された空気が流入する。
【００６７】
以上説明したように、本実施形態に係る住宅の採光防音構造２０によれば、屋根１の軒２部分に天窓３を設けてあるとともに軒天井２３を軒天材２４と該軒天材の上面に設けられた野縁材２６と該野縁材の上面に軒天材２４と対向するように設けられた光反射性散乱板２５とで構成し、屋根１と軒天井２３とで囲まれた軒裏空間５と該軒裏空間に隣接する室内空間６とを採光用開口７を介して相互に連通させて構成するようにしたので、天窓３から軒裏空間５に入射した自然光は、直射日光にしろ天空光にしろ軒天井２３の光反射性散乱板２５上で乱反射し、採光用開口７を経て室内空間６へと誘導された後、該室内空間の天井４０で反射され、室内空間６に散乱される。
【００６８】
したがって、室内空間６には天窓３から直射日光が入射することなく、軒天井２３の光反射性散乱板２５上で乱反射した散乱光が取り込まれることとなるため、夏場であっても、輝度を落とした和らいだ光を室内空間６に導くことが可能となり、採光に関する居住性を大幅に高めることが可能となる。換言すれば、屋根１の軒２による直射日光の遮光機能を保持しつつ、直射日光及び天空光からなる自然光を室内空間６に導くことが可能となる。
【００６９】
加えて、住宅密集地のように、天窓を設けなければならない場合であっても夏場の直射日光を遮光しつつ、間接光を室内に取り込むことが可能となる。
【００７０】
また、本実施形態に係る住宅の採光防音構造２０によれば、軒天井２３に給気口としてのルーバー２１を設けてあるとともに室内空間６に排気口（図示せず）を設け、屋根１の下面に吸音材２２を貼着して構成するようにしたので、軒天井２３に設けられたルーバー２１から外部の空気が軒裏空間５に流入したとき、空気の振動は屋根１の下面に貼着された吸音材２２に吸音されることとなり、室内空間には振動成分が除去された空気が流入する。
【００７１】
したがって、住宅に道路が隣接している場合や、住宅の近くで騒音を発生する工事が行われている場合など外部騒音が大きい場合であっても、かかる騒音を軒裏空間５で吸音しつつ、外部の空気を室内空間６に取り込むことが可能となり、窓を開けずに室内の換気を確保することが可能となる。
【００７２】
本実施形態では、軒天井２３を軒天材２４と該軒天材の上面に設けられた野縁材２６と該野縁材の上面に軒天材２４と対向するように設けられた光反射性散乱板２５とで構成することにより、軒天井２３の上面で入射光が乱反射されるように構成したが、軒天井の上面で入射光が乱反射可能であればその構成は任意であり、上述の構成に代えて、軒天井全体を光反射性散乱板で構成するようにしてもよい。なお、かかる場合において、給気口をルーバーとするならば、該ルーバーは、天窓３からの自然光が軒天井で乱反射するのを妨げないようにその取付け位置を設定すればよい。
【００７３】
また、本実施形態では、給気口にルーバー２１を用いたが、外気が軒裏空間５に流入されればどのような給気口でもよく、住宅で多用されている通常の給気口を軒天井に設けるようにしてもよい。
【００７４】
また、本実施形態では、屋根１の下面に吸音材２２を貼着して屋根１を吸音可能にするように構成したが、軒裏空間が吸音チャンバーとなればその構成は任意であり、軒天井及び屋根のうち、少なくともいずれかを吸音可能に構成すればよく、天窓３からの自然光が軒天井で乱反射するのを妨げないように、かつ給気口の妨げとならないように軒天井の上面に吸音材を貼着するようにしてもよい。
【００７５】
加えて、本実施形態では、屋根１の下面に吸音材２２を貼着して屋根１を吸音可能にするように構成したが、給気口から流入された外部空気を軒裏空間５で吸音することができればその構成は任意であり、例えば軒裏空間５に給気機構を設けるようにしてもよい。かかる給気機構は、従来の吸音器を用いればよいが、例えば共鳴器型吸音器（ヘルムホルツ型吸音器）を用いればよい。
【００７６】
（第３実施形態）
【００７７】
次に、第３実施形態について説明する。なお、上述の実施形態と実質的に同一の部品については同一の符号を付してその説明を省略する。
【００７８】
図４は、本実施形態に係る住宅の軒裏換気構造を示した断面図である。同図からわかるように本実施形態に係る住宅の軒裏換気構造３０は、軒天井３２に給気口としてのルーバー３３を設けてあるとともに、室内空間６に排気口（図示せず）を設け、屋根３４と軒天井３２とで囲まれた軒裏空間５と該軒裏空間に隣接する室内空間６とを換気用開口３１を介して相互に連通させて構成してある。
【００７９】
軒天井３２は、吊り材１９，１９を介して垂木１６から吊持された野縁材３６と、該野縁材の下面に貼り付けられた軒天材３７とで構成してあり、吊り材１９，１９は、その上端を垂木１６に接合してあるとともに該垂木は、柱１３の頂部に架け渡された軒桁１４に取り付けてある。
【００８０】
屋根３４は、その下面に吸音材３５を貼着してあり、かかる構成により、ルーバー３３から軒裏空間５に流入してきた外気を吸音することができるようになっている。つまり、屋根３４の下面に吸音材３５を貼着することにより、軒裏空間５は吸音チャンバーとなる。
【００８１】
吸音材３５は、第２実施形態で述べた吸音材２２と同様、騒音対象によって適宜選択すればよいが、例えば、高周波成分を多く含む騒音を対象とする場合にはロックウール等の多孔質材料を用いればよいし、低周波成分を多く含む騒音（可聴域以下の周波数帯域も含む）の場合には、その周波数と共鳴するように屋根１の下面に板材を取り付けて構成すればよい。
【００８２】
通気用開口３１は、ルーバー３３から軒裏空間５に流入してきた外気が該軒裏空間で吸音された後、室内空間６に流入されるように軒裏空間５と室内空間６との間に設けてある。
【００８３】
なお、排気口は、通常室内に設けられている排気口とすればよい。
【００８４】
本実施形態に係る住宅の軒裏換気構造３０においては、軒天井３２に給気口としてのルーバー３３を設けてあるとともに屋根３４の下面に吸音材３５を貼着し、屋根３４と軒天井３２とで囲まれた軒裏空間５と該軒裏空間に隣接する室内空間６とを換気用開口３１を介して相互に連通させるとともに、室内空間６に排気口（図示せず）を設けて構成してある。
【００８５】
そのため、軒天井３２に設けられたルーバー３３から外部の空気が軒裏空間５に流入したとき、空気の振動は屋根３４の下面に貼着された吸音材３５に吸音されることとなり、室内空間には振動成分が除去された空気が流入する。
【００８６】
以上説明したように、本実施形態に係る住宅の軒裏換気構造３０によれば、軒天井３２に給気口としてのルーバー３３を設けてあるとともに屋根３４の下面に吸音材３５を貼着し、屋根３４と軒天井３２とで囲まれた軒裏空間５と該軒裏空間に隣接する室内空間６とを換気用開口３１を介して相互に連通させるとともに、室内空間６に排気口（図示せず）を設けて構成するようにしたので、軒天井３２に設けられたルーバー３３から外部の空気が軒裏空間５に流入したとき、空気の振動は屋根３４の下面に貼着された吸音材３５に吸音されることとなり、室内空間には振動成分が除去された空気が流入する。
【００８７】
したがって、住宅に道路が隣接している場合や、住宅の近くで騒音を発生する工事が行われている場合など外部騒音が大きい場合であっても、かかる騒音を軒裏空間５で吸音しつつ、外部の空気を室内空間６に取り込むことが可能となり、窓を開けずに室内の換気を確保することが可能となる。
【００８８】
本実施形態では、給気口にルーバー３３を用いたが、外気が軒裏空間５に流入されればどのような給気口でもよく、例えば、住宅で多用されている通常の給気口を軒天井に設けるようにしてもよい。
【００８９】
また、本実施形態では屋根３４の下面に吸音材３５を貼着するように構成したが、軒裏空間が吸音チャンバーとなればその構成は任意であり、軒天井及び屋根のうち、少なくともいずれかを吸音可能に構成すればよく、給気口の妨げとならないように軒天井の上面に吸音材を貼着するようにしてもよい。
【００９０】
また、本実施形態では、屋根３４の下面に吸音材３５を貼着して屋根３４を吸音可能にするように構成したが、給気口から流入された外部空気を軒裏空間５で吸音することができればその構成は任意であり、例えば軒裏空間５に給気機構を設けるようにしてもよい。かかる給気機構は、従来の吸音器を用いればよいが、例えば共鳴器型吸音器（ヘルムホルツ型吸音器）を用いればよい。
【図面の簡単な説明】
【００９１】
【図１】第１実施形態に係る住宅の採光構造の断面図。
【図２】第１実施形態に係る住宅の採光構造の側面図。
【図３】第２実施形態に係る住宅の採光防音構造の断面図。
【図４】第３実施形態に係る住宅の軒裏換気構造の断面図。
【符号の説明】
【００９２】
１，３４                            屋根
２                                  軒
３                                  天窓（採光部）
４，２３，３２                      軒天井
５                                  軒裏空間
６                                  室内空間
７                                  採光用開口
１０                                住宅の採光構造
１１，２５                          光反射性散乱板
２０                                住宅の採光防音構造
２１，３３                          ルーバー（給気口）
【図１】
2006169804.tif 000003
【図２】
2006169804.tif 000004
【図３】
2006169804.tif 000005
【図４】
2006169804.tif 000006